(57)【特許請求の範囲】
【請求項１】
発光の特徴を示す発光パラメータの組み合わせで特定される発光のパターンにしたがって発光する発光部と、
ユーザの動作に起因して生ずる物理量の変化に基づいて、予め設定された複数の発光のパターンの中から発光パターンを選択し、選択した発光のパターンにしたがって前記発光部を発光させるように制御する発光制御部と、
ユーザの動作に起因して生ずる物理量の変化を検出するセンサ部と
を備え、
前記センサ部は、前記ユーザの動作に起因して生ずる加速度の変化を検出する加速度センサを含み、
前記発光制御部は、前記加速度センサが所定の閾値以上の加速度を検出した場合、前記ユーザが他者とコミュニケーションを図る際に行った動作の種類を、情報処理装置を衝突させる動作の第１の種類、又は、前記情報処理装置を継続的に振動させる動作の第２の種類と推定し、推定した当該第１の種類又は当該第２の種類に応じて発光パターンを選択する
情報処理装置。
【請求項２】
前記発光制御部は、
第１の発光色で前記発光部を発光させている状態で、前記第１の種類を推定した場合には、第１の時間をかけて前記第１の発光色から他の情報処理装置の第２の発光色に切り替えて、前記第１の発光色に戻すことを規定する第１の発光のパターンを選択する
請求項１に記載の情報処理装置。
【請求項３】
前記発光制御部は、
前記第１の発光色で前記発光部を発光させている状態で、前記第２の種類を推定した場合には、前記第１の時間よりも長い第２の時間をかけて前記第１の発光色から前記第２の発光色に切り替えて、前記第１の発光色に戻すことを規定する第２の発光のパターンを選択する
請求項２に記載の情報処理装置。
【請求項４】
他の情報処理装置との間の無線通信を制御する通信制御部をさらに備え、
前記通信制御部は、前記加速度センサが前記所定の閾値以上の加速度を検出した場合、所定の距離内の他の情報処理装置と前記情報処理装置との間で情報交換を行う際に用いる無線通信を制御する
請求項１に記載の情報処理装置。
【請求項５】
振動の特徴を示す振動パラメータの組み合わせで特定される振動のパターンにしたがって振動する振動部と、
前記物理量の変化に基づいて、予め設定された複数の振動のパターンの中から発光パターンを選択し、選択した振動のパターンにしたがって前記振動部を振動させるように制御する振動制御部と
をさらに備える請求項１に記載の情報処理装置。
【請求項６】
前記情報処理装置は、前記ユーザの腕に取り付けられるリング形状の部位を有し、
前記部位は、その一部を開放または接続する連結部が設けられている
請求項１に記載の情報処理装置。
【請求項７】
前記連結部は、前記部位の一部を接続するための磁石及び着磁板金を有している
請求項６に記載の情報処理装置。
【請求項８】
前記連結部は、素材の弾性変形により前記部位の一部を接続する
請求項６に記載の情報処理装置。
【請求項９】
発光の特徴を示す発光パラメータの組み合わせで特定される発光のパターンにしたがって発光する発光部を有する情報処理装置の情報処理方法において、
前記情報処理装置が、
前記発光パラメータの組み合わせで特定される発光のパターンにしたがって発光し、
ユーザの動作に起因して生ずる物理量の変化に基づいて、予め設定された複数の発光のパターンの中から発光パターンを選択し、選択した発光のパターンにしたがって前記発光部を発光させるように制御し、
センサ部により、ユーザの動作に起因して生ずる物理量の変化を検出する
ステップを含み、
前記センサ部は、前記ユーザの動作に起因して生ずる加速度の変化を検出する加速度センサを含み、
前記発光の制御は、前記加速度センサが所定の閾値以上の加速度を検出した場合、前記ユーザが他者とコミュニケーションを図る際に行った動作の種類を、前記情報処理装置を衝突させる動作の第１の種類、又は、前記情報処理装置を継続的に振動させる動作の第２の種類と推定し、推定した当該第１の種類又は当該第２の種類に応じて発光パターンを選択する
ステップを含む情報処理方法。
【発明の詳細な説明】
【技術分野】
【０００１】
本技術は、情報処理装置及び方法に関し、特に、新たな形態のコミュニケーションツールを実現可能にする、情報処理装置及び方法に関する。
【背景技術】
【０００２】
太古の昔から、人は、他者と共存しながら生きている。このため、コミュニケーションは、人類にとって欠くことのできない存在である。即ち、人類の歴史は、コミュニケーションの歴史といっても過言ではなく、コミュニケーションツールも時代と共に変化し続けている。【０００３】
コミュニケーションツールは、従来、対面不可能な遠距離用のコミュニケーションで用いられていた。具体的には、コミュニケーションツールとして、大昔では、狼煙などが利用され、その後、有線の電話等が登場し、技術の発達した近年では、無線による携帯電話機等が利用されている。【０００４】
さらに、対面可能な近距離でも、口頭以外のコミュニケーションを図るべく、赤外線機能を備えた携帯電話機がコミュニケーションツールとして利用されるようになっている（例えば、特許文献１参照）。即ち、携帯電話機のユーザは、当該携帯電話機を他人の携帯電話機に近接させて赤外線通信を実行させることで、当該他人とメールアドレス等の情報を交換するといった、コミュニケーションを他人と図ることができる。
【先行技術文献】
【特許文献】
【０００５】
【特許文献１】特開２００７−２２１３５５号公報
【発明の概要】
【発明が解決しようとする課題】
【０００６】
しかしながら、特許文献１に記載の携帯電話機等の従来のコミュニケーションツールでは、コミュニケーションの目的は情報交換のみである。一方で、複数人がコミュニケーションツールを用いずに対面でコミュニケーションを図る場合、単なる情報交換の目的に留まらず、他者と一体感を覚える等各種各様の目的が取られる。【０００７】
このため、近年では、単なる情報交換の目的に留まらず、他者と一体感を覚える等各種各様の目的でコミュニケーションを図ることが可能な、新たな形態のコミュニケーションツールの登場が要望されている。【０００８】
さらに、他者と一体感を覚える等の目的では、必要以上に操作が困難であったり、当該目的に馴染まない操作が求められると、当該目的の達成の妨げになる。このため、容易かつ直観的な操作により、他者と一体感を覚える等各種各様の目的でコミュニケーションを図ることが可能な、新たな形態のコミュニケーションツールの登場が要望されている。【０００９】
本技術は、このような状況に鑑みてなされたものであり、新たな形態のコミュニケーションツールを実現可能にできるようにしたものである。
【課題を解決するための手段】
【００１０】
本技術の一側面の情報処理装置は、発光の特徴を示す発光パラメータの組み合わせで特定される発光のパターンにしたがって発光する発光部と、ユーザの動作に起因して生ずる物理量の変化に基づいて、予め設定された複数の発光のパターンの中から発光パターンを選択し、選択した発光のパターンにしたがって前記発光部を発光させるように制御する発光制御部と、ユーザの動作に起因して生ずる物理量の変化を検出するセンサ部とを備え、前記センサ部は、前記ユーザの動作に起因して生ずる加速度の変化を検出する加速度センサを含み、前記発光制御部は、前記加速度センサが所定の閾値以上の加速度を検出した場合、前記ユーザが他者とコミュニケーションを図る際に行った動作の種類を、情報処理装置を衝突させる動作の第１の種類、又は、前記情報処理装置を継続的に振動させる動作の第２の種類と推定し、推定した当該第１の種類又は当該第２の種類に応じて発光パターンを選択する。
【００１２】
振動の特徴を示す振動パラメータの組み合わせで特定される振動のパターンにしたがって振動する振動部と、前記物理量の変化に基づいて、予め設定された複数の振動のパターンの中から発光パターンを選択し、選択した振動のパターンにしたがって前記振動部を振動させるように制御する振動制御部とをさらに設けることができる。【００１６】
前記発光制御部は、第１の発光色で前記発光部を発光させている状態で、前記第１の種類を推定した場合には、第１の時間をかけて前記第１の発光色から前記他の情報処理装置の第２の発光色に切り替えて、前記第１の発光色に戻すことを規定する第１の発光のパターンを選択することができる。【００１７】
前記発光制御部は、前記第１の発光色で前記発光部を発光させている状態で、前記第２の種類を推定した場合には、前記第１の時間よりも長い第２の時間をかけて前記第１の発光色から前記第２の発光色に切り替えて、前記第１の発光色に戻すことを規定する第２の発光のパターンを選択することができる。【００１８】
他の情報処理装置との間の無線通信を制御する通信制御部をさらに備え、前記通信制御部は、前記加速度センサが前記所定の閾値以上の加速度を検出した場合、所定の距離内の他の情報処理装置と前記情報処理装置との間で情報交換を行う際に用いる無線通信を制御する。
【００１９】
前記情報処理装置は、前記ユーザの腕に取り付けられるリング形状の部位を有し、前記部位は、その一部を開放または接続する連結部を設けることができる。【００２０】
前記連結部は、前記部位の一部を接続するための磁石及び着磁板金を有することができる。【００２１】
前記連結部は、素材の弾性変形により前記部位の一部を接続することができる。【００２２】
本技術の一側面の情報処理方法は、上述した本技術の一側面の情報処理装置に対応する方法である。【００２３】
本技術の一側面の情報処理装置及び方法においては、発光の特徴を示す発光パラメータの組み合わせで特定される発光のパターンにしたがって発光され、ユーザの動作に起因して生ずる物理量の変化に基づいて、予め設定された複数の発光のパターンの中から発光パターンが選択され、選択された発光のパターンにしたがって発光させるように制御され、ユーザの動作に起因して生ずる物理量の変化が検出される。ユーザの動作に起因して生ずる加速度の変化を検出する加速度センサにより、物理量は検出される。発光の制御は、加速度センサが所定の閾値以上の加速度を検出した場合、ユーザが他者とコミュニケーションを図る際に行った動作の種類を、情報処理装置を衝突させる動作の第１の種類、又は、情報処理装置を継続的に振動させる動作の第２の種類と推定し、推定した当該第１の種類又は当該第２の種類に応じて発光パターンを選択することで行われる。
【発明の効果】
【００２４】
以上のごとく、本技術によれば、新たな形態のコミュニケーションツールを実現可能にすることができる。
【図面の簡単な説明】
【００２５】
【図１】本技術が適用される情報処理システムの構成図である。
【図２】リングの概略構成を示す図である。
【図３】リングの斜視図である。
【図４】基板の概略構成を示す図である。
【図５】リングの断面図である。
【図６】リングの他の概略構成を示す図である。
【図７】基板の機能的構成を示す機能ブロック図である。
【図８】リングが発光及び振動する場合に取り得る各動作の状態の一例を示す状態遷移図である。
【図９】状態Ｓ２の詳細を示す図である。
【図１０】状態Ｓ３の詳細を示す図である。
【図１１】状態Ｓ４の詳細を示す図である。
【図１２】状態Ｓ５の詳細を示す図である。
【図１３】状態Ｓ６の詳細を示す図である。
【図１４】状態Ｓ７の詳細を示す図である。
【図１５】本技術が適用される情報処理装置が実行する発光パターン制御処理の流れを説明するフローチャートである。
【発明を実施するための形態】
【００２６】
[本技術の概略]
はじめに、本技術の理解を容易なものとすべく、本技術の概略について説明する。
【００２７】
本技術が適用される情報処理装置は、各種センサ、ワイヤレスモジュール、発光素子、振動体等が内蔵されたリストバンド、ブレスレット等のようにユーザの腕に装着するのに好適な径を有する、リング型の装置（以下、リングと略称する）であり、ユーザの腕に装着されるものである。リングの基本機能は発光と振動であるが、これらの発光や振動のパターンは多数（実質的には無限通り）あり、内蔵されるセンサにより得られる情報や、外部から通信の形態で得られる情報等各種情報に応じて選択的に切り替えることができる。
【００２８】
ユーザは、このようなリングを腕に装着するだけで、同種のリングが腕に装着された他のユーザとの間で、リングの発光や振動を通じて、従来存在しなかった新たなコミュニケーションを図ることができる。
【００２９】
具体的には例えば、ユーザは、他のユーザとの間で、握手や、顔よりも高い位置でお互いの手のひらを叩くハイタッチをすることで、お互いの情報、例えばSNS(Social Network Service)のアカウント情報を交換する、といったコミュニケーションを取ることができる。即ち、リングは、容易かつ直感的なユーザ間の情報交換を実現することができる。
【００３０】
また例えば、ユーザは、他のユーザとの間で、所定の音楽のリズムや、特定の人物の心拍の速度等に同期したパターンのリングの発光や振動を、同時に体感する、といったコミュニケーションを取ることができる。即ち、リングは、ユーザ同士が一体感を得られるような、効果的な演出を実現することができる。
【００３１】
このように、本技術が適用されたリングは、従来存在しなかった全く新たな形態のコミュニケーションツールを実現可能にするものである。以下、このような本技術が適用されたリングを構成要素に含む情報処理システム、即ち本技術が適用される情報処理システムの一実施形態について説明する。
【００３２】
[システム構成図]
図１は、本技術が適用される情報処理システムの構成図である。
【００３３】
情報処理システム１は、サーバ１１、およびリング１２−１乃至１２−Ｎ（Ｎは２以上の任意の整数値）から構成されている。なお、以下、リング１２−１乃至１２−Ｎを個々に区別する必要がない場合、これらをまとめてリング１２と称する。
【００３４】
サーバ１１は、複数のリング１２の各々との間で授受される各種情報を中継したり、所定のリング１２との間で各種情報を授受する。
【００３５】
リング１２は、発光及び振動を基本機能として、発光及び振動のパターンを各種条件に基づいて選択的に切り替える。例えば、リング１２は、サーバ１１から所定の信号を受信したことを条件に、所定のパターンで発光及び振動する。また、リング１２は、一定の範囲内、例えば半径１００メートル以内に存在する他のリング１２との間で所定の信号を交換することを条件に、所定のパターンで発光及び振動する。
【００３６】
また、リング１２は、さらに情報交換機能を有しており、交換すべき情報を保持するとともに、近接通信により、例えば３０センチメートル以内に存在する他のリング１２との間で、これらの情報を相互に送受信する。
【００３７】
以下、このようなリング１２の構成について、図２乃至図６を参照して説明する。
【００３８】
[リングの概略構成]
図２は、本技術が適用される情報処理装置の一実施形態としてのリング１２の概略構成を示す図である。図２のＡの中央の図は、リング１２の正面図である。ここで、正面は、リング１２が装着された腕を手の指先側からみた場合における面とされている。図２のＡの上側の図は、矢印ａの方向にリング１２を見た場合のリング１２の上面図である。図２のＡの右側の図は、矢印ｂの方向にリング１２を見た場合のリング１２の右側面図である。図２のＡの下側の図は、矢印ｃの方向にリング１２を見た場合のリング１２の下面図である。図２のＡの左側の図は、矢印ｄの方向にリング１２を見た場合のリング１２の左側面図である。また、図２のＢは、リング１２の背面図である。
【００３９】
図２に示されるように、リング形状のリング１２の内周部１２ａには、基板２１が埋設されている。詳細については図４を参照して後述するが、基板２１には、各種センサ、ワイヤレスモジュール、発光素子、振動機構等が実装されている。また、基板２１と対向する位置に、連結部２２が設けられている。詳細については後述するが、連結部２２は、リング１２の側面を構成する周長部の両端部を開放したり接続したりする。即ち、ユーザは、連結部２２における両端部を開放することで、リング１２を腕に通したり取り外したりすることができ、連結部２２における両端部を連結させることで、リング１２を装着することができる。
【００４０】
正面又は背面からみて、リング１２の外周部１２ｂは円形となっているのに対して、内周部１２ａは楕円形となっている。リング１２の外周部１２ｂが円形であるのは、基板２１に実装された発光素子からの光を均一に導光させるためである。リング１２の内周部１２ａが楕円形であるのは、ユーザの腕の形状に合わせた形とすることで、リング１２の装着感を向上させるためである。
【００４１】
[リングの斜視図]
図３は、リング１２の斜視図である。図３のＡは、基板２１が視認できる方向からのリング１２の斜視図である。図３のＢは、連結部２２が視認できる方向からのリング１２の斜視図である。
【００４２】
[基板の概略構成]
図４は、リング１２に実装される基板２１の概略構成を示す図である。図４のＡの中央の図は、基板２１の正面図である。ここで、正面は、各種センサ、ワイヤレスモジュール、発光素子、振動機構等が実装されている面とされている。図４のＡの上側の図は、矢印ａの方向に基板２１を見た場合の基板２１の上面図である。図４のＡの右側の図は、矢印ｂの方向に基板２１を見た場合の基板２１の右側面図である。図４のＡの下側の図は、矢印ｃの方向に基板２１を見た場合の基板２１の下面図である。図４のＡの左側の図は、矢印ｄの方向に基板２１を見た場合の基板２１の左側面図である。また、図４のＢは、基板２１の背面図である。また、図４のＣは、基板２１の斜視図である。
【００４３】
図４のＡに示されるように、基板２１の正面には、CPU(Central Processing Unit)３１、ワイヤレスモジュール３２、３軸加速度センサ３３、及びLED（Light Emitting Diode）３４が実装されている。
【００４４】
CPU３１は、内蔵メモリ（後述の図７の記憶部８６）に記録されているプログラム等に従って各種の処理を実行する。内蔵メモリには、CPU３１が各種の処理を実行する上において必要なデータ等も適宜記憶される。
【００４５】
ワイヤレスモジュール３２は、サーバ１１または他のリング１２との間で各種情報を無線通信により授受する。
【００４６】
３軸加速度センサ３３は、相互に略直交する３軸方向の加速度をそれぞれ検出し、その検出結果を示すセンサ情報をCPU３１に供給する。すなわち、３軸加速度センサ３３は、ユーザの動作に起因して生ずる物理量、すなわち加速度の変化を検出する。
【００４７】
LED３４は、CPU３１の制御に従って、複数のパターンで発光する。発光のパターンは、複数種類の発光パラメータのうち１以上の種類の組み合わせで特定される。ここで、発光パラメータとは、発光の特徴を示すパラメータをいい、例えば、光量、発光色、発光の間隔の時間、及び発光が継続する時間といった各種各様の種類が存在する。
【００４８】
なお、図示はしないが、基板２１には、心拍センサ、血圧センサ、体温センサ等の生体情報を取得するセンサが備えられてもよい。また、基板２１には、圧力センサ、気温センサ、湿度センサ、音センサ、映像センサ、紫外線センサ、放射能センサ等、環境情報を取得するセンサが備えられてもよい。
【００４９】
図４のＢに示されるように、基板２１の背面には、振動機構３５が実装されている。振動機構３５は、CPU３１の制御に従って、複数のパターンで振動する。振動のパターンは、複数種類の振動パラメータのうち１以上の種類の組み合わせで特定される。ここで、振動パラメータとは、振動の特徴を示すパラメータをいい、例えば、振動回数、振動の間隔の時間、振動が継続する時間といった各種各様の種類が存在する。
【００５０】
なお、基板２１は、リング１２の表面に描かれるロゴやマークで隠せるサイズにすることで、リング１２の本体が透明または半透明であっても、外観の美感を損なうことはない。
【００５１】
[リングの断面図]
図５は、リング１２の断面図である。図５のＡは、図２のＡの左側の図の線ｍ−ｍ’におけるリング１２の断面図である。図５のＢは、図２のＡの左側の図の線ｎ−ｎ’におけるリング１２の断面図である。
【００５２】
図５のＡに示されるように、リング１２の本体２０は内側の導光層４１と、当該導光層４１を挟み込む外側の反射層兼拡散層４２の２層構造を有している。
【００５３】
導光層４１は、基板２１のLED３４から発光される光を、光ファイバーケーブルと同様にリング１２全体に導光させる。
【００５４】
反射層兼拡散層４２は、基板２１の導光層４１により導光される光を、リング１２全体に反射及び拡散させる。
【００５５】
図５のＡに示されるように、複数のLED３４の各々は、軸対称の位置に、遮蔽物がない状態で配置される。このように配置されたLED３４から発光される光は、導光層４１によりリング１２の本体２０の全体に導光され、反射層兼拡散層４２によって、リング１２の全体に拡散される。
【００５６】
図５のＢに示されるように、リング１２の連結部２２の内側には溝２０ａが形成され、当該溝２０ａの底部には、磁石にくっつく鉄等の着磁板金４３が複数（図５の例では４つ）設けられている。また、リング１２の連結部２２の外側には、着磁板金４３よりも少数（図５の例では２つ）の磁石４４が、連結部２２の内側に設けられた溝２０ａに嵌まるサイズ及び形で設けられている。連結部２２において、磁石４４が、着磁板金４３が設けられた溝２０ａに嵌め込まれて着磁されることにより、リング１２の周長部の両端部が連結される。
【００５７】
このような連結部２２の構造により、リング１２は、細い腕から太い腕まで様々なサイズの腕に装着が可能となる。また、連結部２２には、留め具等が設けられていないため、ユーザにとって、装着感がよく、また、着脱が容易であると共に、LED３４からの光が遮られることなく、導光かつ拡散される。さらに、リング１２の両端部の各々における光量は弱くなるが、当該両端部が連結部２２で重ねられることから光量が加算される結果、ユーザの目には、リング１２の何れの場所でも光が均一に導光されているように映るため、外観の美感が向上する。
【００５８】
また、図５に示されるように、基板２１に設けられた振動機構３５は、リング１２の内周部から突起するように設けられている。これにより、振動機構３５がユーザの腕に接触されるので、振動機構３５の振動が、ユーザの腕に伝導しやすくなる。
【００５９】
リング１２の本体２０の素材として、例えばポリウレタンエラストマー（RU-842A-CLR）等の合成樹脂を採用することができる。連結部２２の内側、外側はともに透明または半透明であるが、外側には光を拡散させる拡散材が例えば５％含有されている。
【００６０】
着磁板金４３の素材として、例えばSUS430を採用することができる。また、磁石４４の素材として、例えばネオジウムを採用することができる。
【００６１】
なお、図示はしないが、基板２１をカバーで覆うことも可能である。この場合のカバーの素材として、例えばアルミニウムを採用することができる。また、図示はしないが、当該カバーと振動機構３５との間にスペーサを装着することができ、そのスペーサの素材として、例えばPETを採用することができる。
【００６２】
[リングの他の概略構成]
図６は、リング１２とは異なる構成のリング５１の概略構成を示す図である。
【００６３】
図６に示されるリング５１の基本的な構成は、リング１２と同様である。したがって、以下、リング５１について、リング１２との一致点の説明は省略し、その差異点のみを説明する。
【００６４】
リング１２が、導光層４１と反射層兼拡散層４２の２層構造を有しているのに対して、リング５１は、導光層６１のみの１層構造である。
【００６５】
リング１２の連結部２２には、磁石４４と着磁板金４３が設けられているのに対して、リング５１の連結部６２には、何も設けられていない。連結部６２においては、リング５１の本体６０に力を加えないとき、内側の端部６０ａと外側の端部６０ｂとが接触して重なるように加工されている。リング５１を腕に装着するとき、本体６０が形成する円の径が大きくなるように本体６０が弾性変形される。円の中に腕を挿通した後、本体６０に対する力を解除すると、本体６０はその弾性力により元の位置に戻る。本体５１の素材としては、本体２０と同じポリウレタンエラストマーを採用することができる。
【００６６】
このような連結部６２の構造により、リング５１は、様々なサイズの腕に装着が可能となる。また、連結部６２には、留め具等が設けられていないため、ユーザにとって、装着感がよく、また、着脱が容易であると共に、LED３４からの光が遮られることなく、導光される。また、リング５１の両端部の各々における光量は弱くなるが、当該両端部が連結部６２で重ねられることから光量が加算される結果、ユーザの目には、リング５１の何れの場所でも光が均一に導光されているように映るため、外観の美感が向上する。さらに、連結部６２には、着磁板金４３、磁石４４、留め具等が設けられないため、製造コストを抑えることができる。
【００６７】
なお、リング５１の本体６０は、リング１２と同様に２層構造でもよい。同様に、上述したリング１２の本体２０は、リング５１の本体６０と同様に１層構造でもよい。
【００６８】
[基板２１の機能的構成例]
図７は、図４の基板２１の機能的構成を示す機能ブロック図である。
【００６９】
基板２１には、CPU３１、ワイヤレスモジュール３２、３軸加速度センサ３３、LED３４、及び振動機構３５が備えられている。
【００７０】
ワイヤレスモジュール３２、３軸加速度センサ３３、LED３４、振動機構３５については図４を参照して説明済みなので、省略する。
【００７１】
CPU３１は、機能的には、通信制御部８１、センサ情報取得部８２、制御信号生成部８３、発光制御部８４、振動制御部８５、及び記憶部８６を有している。
【００７２】
通信制御部８１は、ワイヤレスモジュール３２による無線通信の相手（サーバ１１や他のリング１２）を認証するための所定の認証処理を実行し、認証に成功すると、当該相手との無線通信を制御する。また、通信制御部８１は、リング１２の位置情報をワイヤレスモジュール３２から周囲に無線送信し、かつ、所定の距離内の他のリング１２の位置情報をワイヤレスモジュール３２で受信するように適宜制御する。
【００７３】
センサ情報取得部８２は、３軸加速度センサ３３から出力されたセンサ情報を取得する。また、センサ情報取得部８２は、基板２１に実装されている図示せぬ各種センサから出力されたセンサ情報を取得する。
【００７４】
制御信号生成部８３は、センサ情報取得部８２により取得されたセンサ情報に基づいて、発光制御部８４及び振動制御部８５を制御する制御信号を生成する。具体的には、制御信号生成部８３は、センサ情報取得部８２により取得されたセンサ情報に基づいて、ユーザが他者とコミュニケーションを図るために行った動作の種類を推定し、推定した当該動作の種類に応じた制御信号を生成する。また、制御信号生成部８３は、通信制御部８１の制御によりサーバ１１または他のリング１２から受信された信号に基づいて、発光制御部８４及び振動制御部８５を制御する制御信号を生成する。この場合の制御信号は、発光及び振動の各種パターンに対応しているものであり、これらの各種パターンは、取得されたセンサ情報または受信された信号の種類に応じて設定される。
【００７５】
発光制御部８４は、制御信号生成部８３により生成された制御信号に基づいて、予め設定された複数の発光のパターンの中から１つを選択し、選択した発光のパターンにしたがって、LED３４が発光するように制御する。
【００７６】
振動制御部８５は、制御信号生成部８３により生成された制御信号に基づいて、予め設定された複数の振動のパターンの中から１つを選択し、選択した振動のパターンにしたがって、振動機構３５が振動するように制御する。
【００７７】
記憶部８６は、CPU３１内に設けられた記憶領域として構成され、各種情報を記憶する。例えば、記憶部８６は、リング１２，５１のユーザのSNSのアカウント情報を記憶する。また、記憶部８６は、他のリング１２，５１との近接通信により受信された、他のリング１２，５１のユーザのSNSのアカウント情報を記憶する。なお、リング１２とリング５１も相互に通信可能である。
【００７８】
このような構成のリング１２による複数パターンの発光及び振動について、図８乃至図１４を参照して説明する。なお、以下においてはリング１２について説明するが、リング５１にも適用されることは勿論である。
【００７９】
[状態遷移図]
図８は、リング１２が発光及び振動する場合に取り得る各動作の状態の一例を示す状態遷移図である。
【００８０】
図８において、各状態は１つの角丸長方形の枠内に表されており、その枠に引かれた"Ｓ"を含む符号により識別される。１つの状態から他の１つの状態への状態遷移（同一の状態に留まる場合も含む）は、所定の条件（以下、状態遷移条件と称する）が満たされると実行される。このような状態遷移条件は、図８において１つの状態から他の１つの状態への遷移を表す矢印に、"Ｃ"を含む符号を付して表されている。
【００８１】
また、１つの枠内に図示されている２つの軸は、それぞれリング１２の発光と振動の状態を模式的に表したものである。即ち、上側の軸は、LED３４の発光の状態を模式的に表し、下側の軸は、振動機構３５の振動の状態を模式的に表している。
【００８２】
本実施形態では状態Ｓ１が、基本状態であり、アイドリング状態Ｓ１とも称する。ユーザの腕にリング１２が装着されていない場合等には、３軸加速度センサ３３によって動きが検出されない。また、後述する信号Ｂ１、信号Ｂ２、信号Ｂ３のいずれもリング１２に受信されず、かつ、所定の距離内の他のリング１２から位置情報が受信されない場合、リング１２の動作状態としては、アイドリング状態Ｓ１が維持される。アイドリング状態Ｓ１では、枠内の上側の軸に示されるように、発光制御部８４はLED３４を発光させず、かつ、枠内の下側の軸に示されるように、振動制御部８５は振動機構３５を振動させない。
【００８３】
アイドリング状態Ｓ１において、例えばユーザがリング１２を腕に装着すると、３軸加速度センサ３３によって動きが検出される。このような場合、センサ情報取得部８２は、センサ情報として動き検出情報を取得し、状態遷移条件Ｃ１の動き検出が満たされたと判定し、リング１２の動作状態を、状態Ｓ２に遷移させる。
【００８４】
状態Ｓ２に遷移すると、センサ情報に基づいて生成された制御信号に従ったパターンで、発光制御部８４は、LED３４を発光させ、かつ、振動制御部８５は、振動機構３５を振動させる。このように、センサ情報に基づいて生成された制御信号に従った発光及び振動パターンは、人の鼓動を模したパターンであるので、以下、「パターンＡ”鼓動”」と称する。
【００８５】
状態Ｓ２では、発光制御部８４は、枠内の上側の軸の波形に示されるように、LED３４を一定の低光量（即ち、低輝度）で発光させ、かつ、枠内の下側の軸の波形に示されるように、振動制御部８５は振動機構３５を一定のリズムで振動させる。状態Ｓ２における「パターンＡ”鼓動”」の詳細について、図９を参照して説明する。
【００８６】
[パターンＡ”鼓動”の詳細]
図９は、状態Ｓ２における「パターンＡ”鼓動”」の詳細を示す図である。図９において、横軸は時間を示し、縦軸は波形のレベルを示している。
【００８７】
図９の上側の軸の波形は、「Lighting」と示されているように、LED３４の発光の状態を模式的に表している。すなわち、縦軸の波形のレベルは光量を示している。図９の下側の軸の波形は、「vibration」で示されているように、振動機構３５の振動の状態を模式的に表している。すなわち、縦軸の波形のレベルは振動の強さを示している。
【００８８】
状態Ｓ２に遷移すると、発光制御部８４は、開始時刻ｔ１から終了時刻ｔｘまでの一定期間、LED３４を一定の低光量で発光させる。なお、開始時刻ｔ１から終了時刻ｔｘまでの期間は、例えば５分間とする。
【００８９】
一方、状態Ｓ２に遷移すると、振動制御部８５は、振動機構３５を一定の周期でパルス的なリズムで振動させる。なお、以下では、振動の継続時間を振動継続時間と称する。また、振動が開始されてから次の振動が開始されるまでの時間を振動間隔時間と称する。
【００９０】
具体的には、振動制御部８５は、時刻ｔ２から時刻ｔ３までの振動継続時間Ｔ１の間、振動機構３５の振動を継続させる。次に、振動制御部８５は、時刻ｔ２から振動間隔時間Ｔ２だけ経過した時刻ｔ４になると、当該時刻ｔ４から時刻ｔ５までの振動継続時間Ｔ１の間、振動機構３５の振動を継続させる。振動制御部８５は、時刻ｔ４から振動間隔時間Ｔ２だけ経過した時刻ｔ６になると、当該時刻ｔ６から時刻ｔ７までの振動継続時間Ｔ１の間、振動機構３５の振動を継続させる。このように、振動間隔時間Ｔ２を周期として、振動継続時間Ｔ１をパルス幅とするパルス的なリズムで、振動機構３５が振動する。なお、振動継続時間Ｔ１は、特に限定されないが、本実施形態では０．５秒が採用されている。また、振動間隔時間Ｔ２は、特に限定されないが、本実施形態では１秒とする。
【００９１】
状態Ｓ２において、３軸加速度センサ３３によって所定時間以上動きが検出されない場合、センサ情報取得部８２は、所定時間経過の状態遷移条件Ｃ２が満たされたと判定して、リング１２の状態を、状態Ｓ１に遷移させる。なお、本実施形態では図８に示されるように、所定時間は３分とされている。
【００９２】
また、状態が状態Ｓ２であるときに、ワイヤレスモジュール３２が所定の距離内の他のリング１２から位置情報を受信すると、通信制御部８１は、近接距離が所定の範囲内であるとの状態遷移条件Ｃ１１が満たされたと判定し、リング１２の状態を、状態Ｓ３に遷移させる。なお、状態Ｓ３については後述する。
【００９３】
さらに、状態が状態Ｓ２であるときに、ワイヤレスモジュール３２が後述する信号Ｂ１、信号Ｂ２、信号Ｂ３のいずれかを受信すると、通信制御部８１は、それらの信号を受信したとの状態遷移条件Ｃ３１，Ｃ４１，Ｃ５１のいずれかが満たされたと判定し、リング１２の状態を、状態Ｓ５（信号Ｂ１の場合），Ｓ６（信号Ｂ２の場合），Ｓ７（信号Ｂ３の場合）のいずれかに遷移させる。なお、状態Ｓ５,Ｓ６，Ｓ７については後述する。
【００９４】
図示はしないが、状態Ｓ２で、LED３４の発光終了時刻ｔｘが経過した場合にも、センサ情報取得部８２は、リング１２の状態を、アイドリング状態Ｓ１に遷移させる。アイドリング状態Ｓ１に遷移すると、リング１２は、発光及び振動を停止させる。
【００９５】
アイドリング状態Ｓ１で、ワイヤレスモジュール３２が所定の距離内の他のリング１２から信号を受信すると、通信制御部８１は、近接距離が所定の範囲内であるとの状態遷移条件Ｃ１１が満たされたと判定し、リング１２の状態を、状態Ｓ３に遷移させる。なお、所定の距離内の他のリング１２とは、他のリング１２のうち、上述の認証が成功し、その認証後相互にやり取りされた位置情報に基づいて演算された距離が、所定の距離内になっているものをいう。
【００９６】
状態Ｓ３に遷移すると、他のリング１２からの信号に基づいて生成された制御信号に従ったパターンで、発光制御部８４はLED３４を発光させる。なお、振動制御部８５は振動機構３５の振動機構を振動させない。また、このとき、センサ情報取得部８２は、３軸加速度センサから出力されるセンサ情報の詳細なトラッキングを開始する。このように、他のリング１２からの信号に基づいて生成された制御信号に従った、状態Ｓ３における発光及び振動パターンは、後述する状態Ｓ４に遷移するまでの待ち受け状態を表すパターンであるので、以下、「パターンＣ”待ち受け”」と称する。
【００９７】
状態Ｓ３では、発光制御部８４は、枠内の上側の軸の波形に示されるように、LED３４を一定の低光量で発光させ、かつ、枠内の下側の軸に示されるように、振動制御部８５は振動機構３５の振動機構を振動させない。状態Ｓ３における「パターンＣ”待ち受け”」の詳細について、図１０を参照して説明する。
【００９８】
[パターンＣ”待ち受け”の詳細]
図１０は、状態Ｓ３における「パターンＣ”待ち受け”」の詳細を示す図である。
【００９９】
図１０においては、１つのリング１２（以下、リング１２−Ｕ１と称する）と、リング１２から所定の距離内の他のリング１２（以下、リング１２−Ｕ２と称する）の発光及び振動の状態が模式的に表されている。
【０１００】
図１０のＡの上側の軸の波形は、「LightingＵ１」と示されているように、リング１２−Ｕ１のLED３４の発光の状態を模式的に表している。また、図１０のＡの下側の軸の波形は、「LightingＵ２」と示されているように、リング１２−Ｕ２のLED３４の発光の状態を模式的に表している。図１０のＢの上側の軸の波形は、「vibrationＵ１」で示されているように、リング１２−Ｕ１の振動機構３５の振動の状態を模式的に表している。また、図１０のＢの下側の軸の波形は、「vibrationＵ２」で示されているように、リング１２−Ｕ２の振動機構３５の振動の状態を模式的に表している。
【０１０１】
状態Ｓ３に遷移すると、図１０のＡに示されるように、リング１２−Ｕ１の発光制御部８４は、開始時刻ｔ１１から終了時刻ｔｘまでの一定期間、LED３４を一定の低光量で発光させる。また、リング１２−Ｕ１の発光制御部８４は、開始時刻ｔ１１から終了時刻ｔｘまでの一定期間、LED３４を一定の低光量で発光させる。なお、図１０においては説明を容易にするために、リング１２−Ｕ１は淡色の光で発光し、リング１２−Ｕ２は濃色の光で発光するものとする。
【０１０２】
一方、状態Ｓ３に遷移すると、図１０のＢに示されるように、リング１２−Ｕ１及びリング１２−Ｕ２の振動制御部８５は共に、振動機構３５の振動機構を振動させない。
【０１０３】
状態Ｓ３において、３軸加速度センサ３３によってセンサ値を示すセンサ情報が出力されると、センサ情報取得部８２は、当該センサ情報を取得し、そのセンサ値が閾値以上であることを検出すると、当該検出結果を衝撃検出として通信制御部８１に通知する。通信制御部８１は、通知された衝撃検出をワイヤレスモジュール３２から他のリング１２に無線送信する。このような一連の処理は、他のリング１２においても同時期に並行して実行されている。例えば、リング１２−Ｕ１とリング１２−Ｕ２の２人のユーザがハイタッチすると、その衝撃が３軸加速度センサ３３によりそれぞれ検出される。このため、他のリング１２からも、衝撃検出がリング１２に対して無線送信されてくる。通信制御部８１は、他のリング１２からの衝撃検出をワイヤレスモジュール３２に受信させる。制御信号生成部８３は、センサ情報取得部８２により取得された自己のリング１２からの衝撃検出と、通信制御部８１の制御により受信された他のリング１２からの衝撃検出とを受けると、衝撃検出の状態遷移条件Ｃ２１が満たされたと判定し、リング１２の状態を、状態Ｓ４に遷移させる。
【０１０４】
状態Ｓ４に遷移すると、衝撃検出のセンサ情報に基づいて生成された制御信号に従ったパターンで、発光制御部８４はLED３４を発光させ、かつ、振動制御部８５は、振動機構３５を振動させる。また、衝撃検出直後に、通信制御部８１は、他のリング１２との間でそれぞれのユーザのSNSのアカウント情報を相互に送受信することにより情報を交換する。このように、センサ情報に基づいて生成された制御信号に従った発光及び振動パターンは、ユーザ同士の情報交換による交流を模したパターンであるので、以下、「パターンＣ”交流”」と称する。
【０１０５】
状態Ｓ４では、発光制御部８４は、枠内の上側の軸の波形に示されるように、LED３４を一定の低光量で発光させた状態（状態Ｓ３の状態）から、衝撃検出時に瞬時に相手方のリング１２の色で発光させ、その後、所定時間をかけて徐々に自身のリング１２の色に戻す。また、振動制御部８５は、枠内の下側の軸の波形に示されるように、振動機構３５を衝撃検出時に複数回振動させる。状態Ｓ４における「パターンＣ”交流”」の詳細について、図１１を参照して説明する。
【０１０６】
[パターンＣ”交流”の詳細]
図１１は、状態Ｓ４における「パターンＣ”交流”」の詳細を示す図である。
【０１０７】
図１１においては、リング１２−Ｕ１と他のリング１２であるリング１２−Ｕ２の発光及び振動の状態が模式的に表されている。
【０１０８】
図１１のＡの上側の軸の波形は、「LightingＵ１」と示されているように、リング１２−Ｕ１のLED３４の発光の状態を模式的に表している。また、図１１のＡの下側の軸の波形は、「LightingＵ２」と示されているように、リング１２−Ｕ２のLED３４の発光の状態を模式的に表している。図１１のＢの上側の軸の波形は、「vibrationＵ１」で示されているように、リング１２−Ｕ１の振動機構３５の振動の状態を模式的に表している。また、図１１のＢの下側の軸の波形は、「vibrationＵ２」で示されているように、リング１２−Ｕ２の振動機構３５の振動の状態を模式的に表している。
【０１０９】
図１１のＡに示されるように、リング１２−Ｕ１のLED３４は、時刻ｔ２１から衝撃検出の時刻ｔ２２までは、状態Ｓ３の状態として一定の低光量で淡色に発光する。同様に、リング１２−Ｕ２のLED３４は、時刻ｔ２１から衝撃検出の時刻ｔ２２までは、状態Ｓ３の状態として一定の低光量で濃色に発光する。なお、図面では白黒表現されているため、リング１２−Ｕ１とリング１２−Ｕ２は淡色や濃色という使い分けをしているが、特に淡色と濃色で分類する必要もなく、任意の異なる色同士であればよい。
【０１１０】
そして、衝撃が検出されると、状態Ｓ４の状態に遷移され、リング１２−Ｕ１とリング１２−Ｕ２の発光制御部８４は共に、LED３４を一定のパターンの光量と色で発光させる。なお、以下では、発光の継続時間を発光継続時間と称する。
【０１１１】
具体的には、時刻ｔ２２において衝撃が検出されると、リング１２−Ｕ１の発光制御部８４は、LED３４を、瞬時に高光量（即ち、高輝度）に変化させて相手方のリング１２−Ｕ２の発光色、即ち濃色に発光させる。そして、リング１２−Ｕ１の発光制御部８４は、時刻ｔ２２から時刻ｔ２５までの発光継続時間Ｔ２１の間に、高光量で、濃色から自身のリング１２−Ｕ１の発光色である淡色の発光色に徐々に変化するように、LED３４を発光させる。その後、時刻ｔ２５から終了時刻ｔｘまでの期間、LED３４を一定の低光量で淡色に発光させる。なお、発光継続時間Ｔ２１は、特に限定されないが、本実施形態では２秒が採用されている。
【０１１２】
同様に、時刻ｔ２２において衝撃が検出されると、リング１２−Ｕ２の発光制御部８４は、瞬時にLED３４を高光量に変化させて相手方のリング１２−Ｕ１の発光色、即ち淡色に発光させる。そして、リング１２−Ｕ２の発光制御部８４は、時刻ｔ２２から時刻ｔ２５までの発光継続時間Ｔ２１の間に、高光量で、淡色から自身のリング１２−Ｕ２の発光色である濃色の発光色に徐々に変化するように、LED３４を発光させる。その後、時刻ｔ２５から終了時刻ｔｘまでの期間、LED３４を一定の低光量で濃色に発光させる。
【０１１３】
このように、ハイタッチによる衝撃が検出されると、リング１２−Ｕ１とリング１２−Ｕ２のLED３４の発光色は瞬時に入れ替わり、その後徐々に自身のリング１２の色に戻るように発光する。
【０１１４】
一方、図１１のＢに示されるように、リング１２−Ｕ１とリング１２−Ｕ２の振動機構３５は共に、時刻ｔ２１から衝撃検出の時刻ｔ２２までは、状態Ｓ３の状態として振動しない。そして、衝撃が検出されると、状態Ｓ４の状態に遷移され、リング１２−Ｕ１とリング１２−Ｕ２の振動制御部８５は共に、時刻ｔ２２から振動機構３５を複数回振動させる。
【０１１５】
具体的には、時刻ｔ２２において衝撃が検出されると、リング１２−Ｕ１の振動制御部８５は、時刻ｔ２２から時刻ｔ２３までの振動継続時間Ｔ２２の間、振動機構３５の振動を継続させる。そして、リング１２−Ｕ１の振動制御部８５は、時刻ｔ２３から時刻ｔ２４の振動継続時間Ｔ２２の間、振動機構３５の振動を継続させる。このように、振動継続時間Ｔ２２をパルス幅として、振動検出時刻から複数回連続して、振動機構３５が振動する。なお、振動継続時間Ｔ２２は、特に限定されないが、本実施形態では０．２秒が採用されている。また、振動回数は、特に限定されないが、本実施形態では２回が採用されている。
【０１１６】
同様に、時刻ｔ２２において衝撃が検出されると、リング１２−Ｕ２の振動制御部８５は、時刻ｔ２２から時刻ｔ２３までの振動継続時間Ｔ２２の間、振動機構３５の振動を継続させる。そして、リング１２−Ｕ２の振動制御部８５は、時刻ｔ２３から時刻ｔ２４の振動継続時間Ｔ２２の間、振動機構３５の振動を継続させる。このように、振動継続時間Ｔ２２をパルス幅として、振動検出時刻から複数回連続して、振動機構３５が振動する。
【０１１７】
このように、ハイタッチによる衝撃が検出されると、リング１２−Ｕ１とリング１２−Ｕ２の振動制御部８５は共に、振動機構３５を複数回連続して振動させる。
【０１１８】
さらに、状態Ｓ４において衝撃が検出されると、リング１２−Ｕ１の通信制御部８１は、記憶部８６に記憶されているリング１２−Ｕ１のユーザのSNSのアカウント情報を読み出して、ワイヤレスモジュール３２による近接通信によりリング１２−Ｕ２に送信する。そして、リング１２−Ｕ１の通信制御部８１は、リング１２−Ｕ２のユーザのSNSのアカウント情報がリング１２−Ｕ２から送信されてくるので、当該SNSのアカウント情報をワイヤレスモジュール３２による近接通信により受信する。このようにして受信された、リング１２−Ｕ２のユーザのSNSのアカウント情報は記憶部８６に記憶される。
【０１１９】
同様に、状態Ｓ４において衝撃が検出されると、リング１２−Ｕ２の通信制御部８１は、記憶部８６に記憶されているリング１２−Ｕ２のユーザのSNSのアカウント情報を読み出して、ワイヤレスモジュール３２による近接通信によりリング１２−Ｕ１に送信する。そして、リング１２−Ｕ２の通信制御部８１は、リング１２−Ｕ１のユーザのSNSのアカウント情報がリング１２−Ｕ１から送信されてくるので、当該SNSのアカウント情報をワイヤレスモジュール３２による近接通信により受信する。このようにして受信された、リング１２−Ｕ１のユーザのSNSのアカウント情報は記憶部８６に記憶される。
【０１２０】
このように、状態Ｓ４において衝撃が検出されると、リング１２−Ｕ１とリング１２−Ｕ２は、近接通信によってお互いのユーザのSNSのアカウント情報を交換して記憶する。
【０１２１】
なお、リング１２−Ｕ１の記憶部８６に記憶されたSNSのアカウント情報は、図示せぬ他の情報処理装置に記憶させることができる。したがって、例えば、リング１２−Ｕ１のユーザは、当該SNSのアカウント情報を用いてSNSにアクセスすることで、他のリング１２−Ｕ２のユーザの名前、メールアドレス等の情報を知得することができる。
【０１２２】
このように、リング１２−Ｕ１のユーザは、他のリング１２−Ｕ２のユーザとの間でハイタッチをする、という簡単な手法により、お互いの情報を容易に交換することができる。また、ハイタッチをした時に、リング１２−Ｕ１とリング１２−Ｕ２のLED３４の発光色が瞬時に入れ替わることから、ユーザは、お互いの情報が交換されたことを直感的に理解することができる。
【０１２３】
また、リング１２−Ｕ１とリング１２−Ｕ２のLED３４の発光色が入れ替わった後に、徐々にそれぞれが自身のリング１２の色に戻るように発光することから、ユーザは、情報が交換されて自身のリング１２に記憶されるまでの処理の進行度合いを確認することができる。これにより、ユーザは、確実に情報が交換されたという安心感を得ることができる。
【０１２４】
また、LED３４の発光色が徐々に変化することから、ユーザは、情報交換をした余韻を楽しむことができる。さらに、他のリング１２の色と混色する過程を見ることで、ユーザは、他のユーザとの一体感を得ることができる。
【０１２５】
なお、上述の例では、発光継続時間Ｔ２１として２秒が採用されているが、短期間に多数の他のリング１２と情報交換を行う場合等には、発光継続時間Ｔ２１を、さらに短縮させてもよい。
【０１２６】
上述の例では、ユーザ同士の各リング１２間で相互に情報が交換される要件としては、ユーザ同士による各リング１２のハイタッチのようなリング１２の瞬時的な衝突により生じた衝撃により、３軸加速度センサ３３のセンサ値が閾値以上となる、という要件が採用されたが、特にこれに限定されない。例えば、ユーザ同士で握手がなされた際に各リング１２が継続的な振動を繰り返すことによって、３軸加速度センサ３３のセンサ値が継続的に閾値以上となる、という要件が採用されてもよい。
【０１２７】
ハイタッチによる衝撃等により３軸加速度センサ３３のセンサ値が閾値以上になった場合、リング１２の発光及び振動のパターンとしては、ハイタッチの動作に応じたパターンが採用された。すなわち、ハイタッチの動きに連動して、リング１２のLED３４の発光色が、瞬時に他のリング１２の発光色に変化した後に、徐々に自身の発光色に戻るというパターンが採用された。また、ハイタッチの動きに連動して、リング１２の振動機構３５が、短時間の振動を少数回繰り返すというパターンが採用された。
【０１２８】
これに対して、握手による継続的な振動等により３軸加速度センサ３３のセンサ値が閾値以上になった場合、リング１２の発光及び振動のパターンとしては、握手の動作に応じたパターンが採用される。例えば、握手の動きに応じて、リング１２のLED３４の発光色は、一定時間をかけて徐々に他のリング１２の発光色に変化した後に、徐々に自身の発光色に戻るというパターンが採用されてもよい。また、握手の動きに応じて、リング１２の振動機構３５は、長時間の振動を継続させるというパターンが採用されてもよい。
【０１２９】
すなわち、制御信号生成部８３は、３軸加速度センサ３３が所定の閾値以上の加速度を検出した場合、その変化のパターンから、ユーザが他者とコミュニケーションを図るために行った動作が、ハイタッチの動作または握手の動作のいずれであるか推定し、推定した動作に応じた制御信号を生成する。
【０１３０】
さらに、握手の動作に伴う振動の速度に応じて、リング１２の発光及び振動のパターンを変えてもよい。例えば、高速の振動を伴う握手の場合には、リング１２のLED３４の発光色が他のリング１２の発光色に変化する時間を短時間にして、振動機構３５の振動も短時間継続させるようにする。一方、低速の振動を伴う握手の場合には、リング１２のLED３４の発光色が他のリング１２の発光色に変化する時間を長時間にして、振動機構３５の振動も長時間継続させる。
【０１３１】
このように、リング１２の発光及び振動のパターンを、３軸加速度センサ３３によって検出される動きに応じたパターンとすることで、ユーザは、より直感的にユーザ間の情報交換をすることができる。
【０１３２】
状態Ｓ４において、センサ情報としての衝撃検出が所定時間以上取得されなかった場合、センサ情報取得部８２は、タイムアウトという状態遷移条件Ｃ２２が満たされたと判定し、リング１２の状態を、状態Ｓ３に遷移させる。
【０１３３】
状態Ｓ３において、ワイヤレスモジュール３２が所定時間以上、所定の距離内の他のリング１２から衝撃検出を受信しなかった場合、通信制御部８１は、タイムアウトという状態遷移条件Ｃ１２が満たされたとして、リング１２の状態を、アイドリング状態Ｓ１に遷移させる。アイドリング状態Ｓ１に遷移すると、リング１２は、発光及び振動を停止させる。
【０１３４】
アイドリング状態Ｓ１で、ワイヤレスモジュール３２が信号Ｂ１をサーバ１１から受信すると、通信制御部８１は、信号Ｂ１の受信という状態遷移条件Ｃ３１が満たされたと判定し、リング１２の状態を、状態Ｓ５に遷移させる。また、アイドリング状態Ｓ１で、ワイヤレスモジュール３２が信号Ｂ２をサーバ１１から受信すると、通信制御部８１は、信号Ｂ２の受信という状態遷移条件Ｃ４１が満たされたと判定し、リング１２の状態を、状態Ｓ６に遷移させる。また、アイドリング状態Ｓ１で、ワイヤレスモジュール３２が信号Ｂ３をサーバ１１から受信すると、通信制御部８１は、信号Ｂ３の受信という状態遷移条件Ｃ５１が満たされたと判定し、リング１２の状態を、状態Ｓ７に遷移させる。
【０１３５】
このような信号Ｂ１，Ｂ２，Ｂ３のそれぞれは、サーバ１１から送信されて、複数のリング１２に対して一斉に受信される。信号Ｂ１，Ｂ２，Ｂ３は、例えば、所定の音楽のリズム（例えば、スタジアムに流れる応援ソング）や、特定の人物（例えば、応援するチームの監督）の心拍の速度等に同期させた発光及び振動のパターンを、複数のリング１２においてそれぞれ生成させる信号である。また、例えば、信号Ｂ１，Ｂ２，Ｂ３は、所定のグループ毎（応援するチームのサポーター毎）に特有の発光及び振動のパターンを、複数のリング１２においてそれぞれ生成させる信号である。なお、信号Ｂ１，Ｂ２，Ｂ３に基づいて生成される制御信号に従った発光及び振動のパターンは、上記に挙げた各パターンに限らず、多数（実質的には無限通り）存在するので、任意の数の任意のパターンを予め用意しておき、サーバ１１がパターンを選択的に切り替えて各リング１２に対して送信する。本実施例では、３つのパターンについて説明する。
【０１３６】
[パターンＢ１”絶頂”の詳細]
はじめに、状態Ｓ５について説明する。状態Ｓ５に遷移すると、信号Ｂ１に基づいて生成された制御信号に従ったパターンで、発光制御部８４は、LED３４を発光させ、かつ、振動制御部８５は、振動機構３５を振動させる。このように、信号Ｂ１に基づいて生成された制御信号に従った発光及び振動パターンは、高光量での発光と激しい振動を伴うパターンであるので、以下、「パターンＢ１”絶頂”」と称する。
【０１３７】
状態Ｓ５では、発光制御部８４は、枠内の上側の軸の波形に示されるように、LED３４を一定の高光量で発光させ、かつ、枠内の下側の軸の波形に示されるように、振動制御部８５は振動機構３５を一定のリズムで振動させる。状態Ｓ５における「パターンＢ１”絶頂”」の詳細について、図１２を参照して説明する。
【０１３８】
図１２は、状態Ｓ５における「パターンＢ１”絶頂”」の詳細を示す図である。
【０１３９】
図１２の上側の軸の波形は、「Lighting」と示されているように、LED３４の発光の状態を模式的に表している。図１２の下側の軸の波形は、「vibration」で示されているように、振動機構３５の振動の状態を模式的に表している。
【０１４０】
状態Ｓ５に遷移すると、発光制御部８４は、開始時刻ｔ３１から終了時刻ｔｘまでの一定期間、LED３４を一定の高光量で発光させる。なお、開始時刻ｔ３１から終了時刻ｔｘまでの期間は、例えば音楽の長さ等に対応する。
【０１４１】
一方、状態Ｓ５に遷移すると、振動制御部８５は、振動機構３５を一定の周期でパルス的なリズムで振動させる。
【０１４２】
具体的には、振動制御部８５は、時刻ｔ３２から時刻ｔ３３までの振動継続時間Ｔ３１の間、振動機構３５の振動を継続させる。そして、振動制御部８５は、時刻ｔ３３から時刻ｔ３４までの振動継続時間Ｔ３１の間、振動機構３５の振動を継続させる。次に、振動制御部８５は、時刻ｔ３２から振動間隔時間Ｔ３２だけ経過した時刻ｔ３５になると、当該時刻ｔ３５から時刻ｔ３６の振動継続時間Ｔ３１の間、振動機構３５の振動を継続させる。そして、振動制御部８５は、時刻ｔ３６から時刻ｔ３７までの振動継続時間Ｔ３１の間、振動機構３５の振動を継続させる。次に、振動制御部８５は、時刻ｔ３５から振動間隔時間Ｔ３２だけ経過した時刻ｔ３８になると、当該時刻ｔ３８から時刻ｔ３９の振動継続時間Ｔ３１の間、振動機構３５の振動を継続させる。そして、振動制御部８５は、時刻ｔ３９から時刻ｔ４０までの振動継続時間Ｔ３１の間、振動機構３５の振動を継続させる。
【０１４３】
このように、振動間隔時間Ｔ３２を周期として、振動継続時間Ｔ３１をパルス幅とするパルス的なリズムで、振動機構３５が振動する。なお、振動継続時間Ｔ３１は、特に限定されないが、本実施形態では０．４秒が採用されている。また、振動間隔時間Ｔ３２は、特に限定されないが、本実施形態では１秒とする。なお、振動制御部８５は、振動機構３５を一定の周期でパルス的なリズムで振動させたが、継続的に振動させてもよい。
【０１４４】
状態Ｓ５において、停止信号が受信された場合、通信制御部８１は、停止信号の受信という状態遷移条件Ｃ３２が満たされたと判定し、リング１２の状態を、アイドリング状態Ｓ１に遷移させる。停止信号としては、本実施形態においては、サーバ１１から送信される動作の強制停止の信号、または信号Ｂ１に不備があった場合等のエラー信号が採用されている。アイドリング状態Ｓ１に遷移すると、リング１２は、発光及び振動を停止させる。
【０１４５】
[パターンＢ２”ウェーブ”の詳細]
次に、状態Ｓ６について説明する。状態Ｓ６に遷移すると、信号Ｂ２に基づいて生成された制御信号に従ったパターンで、発光制御部８４は、LED３４を発光させ、かつ、振動制御部８５は、振動機構３５を振動させない。このように、信号Ｂ２に基づいて生成された制御信号に従った発光及び振動パターンは、一定の周期でパルス的なリズムの発光と振動を伴わない波を模したパターンであるので、以下、「パターンＢ２”ウェーブ”」と称する。
【０１４６】
状態Ｓ６では、発光制御部８４は、枠内の上側の軸の波形に示されるように、LED３４を一定の周期でパルス的なリズムの強い光量で発光させ、かつ、枠内の下側の軸に示されるように、振動制御部８５は振動機構３５を振動させない。状態Ｓ６における「パターンＢ２”ウェーブ”」の詳細について、図１３を参照して説明する。
【０１４７】
図１３は、状態Ｓ６における「パターンＢ２”ウェーブ”」の詳細を示す図である。
【０１４８】
図１３の上側の軸の波形は、「Lighting」と示されているように、LED３４の発光の状態を模式的に表している。図１３の下側の軸の波形は、「vibration」で示されているように、振動機構３５の振動の状態を模式的に表している。
【０１４９】
状態Ｓ６に遷移すると、発光制御部８４は、LED３４を開始時刻ｔ５１から終了時刻ｔｘまで一定の周期でパルス的なリズムで発光させる。なお、開始時刻ｔ５１から終了時刻ｔｘまでの期間は、例えば音楽の長さ等に対応する。なお、以下では、発光が開始されてから次の発光が開始されるまでの時間を発光間隔時間と称する。また、LED３４の光量が低光量から高光量まで増加する時間を発光立ち上がり時間と称する。また、LED３４の光量が高光量から低光量まで減少する時間を発光立ち下がり時間と称する。
【０１５０】
具体的には、発光制御部８４は、開始時刻ｔ５１から時刻ｔ５２までは、LED３４を一定の低光量で発光させる。そして、発光制御部８４は、時刻ｔ５２から時刻ｔ５３までの発光立ち上がり時間Ｔ５１の間、LED３４の光量を一定の高光量まで漸次増加させながら発光させる。そして、発光制御部８４は、時刻ｔ５３から時刻ｔ５４までの間、LED３４を一定の高光量で発光させる。そして、発光制御部８４は、時刻ｔ５４から時刻ｔ５５までの発光立ち下がり時間Ｔ５２の間、LED３４の光量を一定の低光量まで漸次減少させながら発光させる。このように、発光制御部８４は、時刻ｔ５２から時刻ｔ５５までの発光継続時間Ｔ５３の間、LED３４の光量を一定のパターンで変化させて発光させる。そして、時刻ｔ５５から時刻ｔ５６までは、LED３４を一定の低光量で発光させる。次に、発光制御部８４は、時刻ｔ５２から発光間隔時間Ｔ５４だけ経過した時刻ｔ５６になると、当該時刻ｔ５６から時刻ｔ５７までの発光継続時間Ｔ５３の間、時刻ｔ５２から時刻ｔ５５までと同様のパターンでLED３４の光量を変化させて発光させる。
【０１５１】
一方、状態Ｓ６に遷移すると、振動制御部８５は、振動機構３５を振動させない。
【０１５２】
このように、発光間隔時間Ｔ５４を周期として、発光継続時間Ｔ５３をパルス幅とするパルス的なリズムで、LED３４が発光する。なお、発光立ち上がり時間Ｔ５１及び発光立ち下がり時間Ｔ５２は、特に限定されないが、本実施形態では０．５秒が採用されている。また、発光継続時間Ｔ５３は、特に限定されないが、本実施形態では１．５秒が採用されている。また、発光間隔時間Ｔ５４は、特に限定されないが、本実施形態では１０秒が採用されている。なお、振動制御部８５は、振動機構３５を振動させないとしたが、LED３４の発光のパターンと対応付けたパターンで振動させてもよい。即ち、LED３４の発光立ち上がり時間Ｔ５１の間は、LED３４の光量が増加されるのと対応付けて、振動機構３５の振動を徐々に強くしてもよい。また、LED３４の発光立ち下がり時間Ｔ５２の間は、LED３４の光量が減少されるのと対応付けて、振動機構３５の振動を徐々に弱くしてもよい。
【０１５３】
状態Ｓ６において、停止信号が受信された場合、通信制御部８１は、停止信号の受信という状態遷移条件Ｃ４２が満たされたと判定し、リング１２の状態を、アイドリング状態Ｓ１に遷移させる。停止信号としては、本実施形態においては、サーバ１１から送信される動作の強制停止の信号、または信号Ｂ２に不備があった場合等のエラー信号が採用されている。アイドリング状態Ｓ１に遷移すると、リング１２は、発光及び振動を停止させる。
【０１５４】
[パターンＢ３”リズム”の詳細]
次に、状態Ｓ７について説明する。状態Ｓ７に遷移すると、信号Ｂ３に基づいて生成された制御信号に従ったパターンで、発光制御部８４は、LED３４を発光させ、かつ、振動制御部８５は、振動機構３５を振動させる。このように、信号Ｂ３に基づいて生成された制御信号に従った発光及び振動パターンは、一定の周期でパルス的なリズムの発光と当該発光と同じリズムの振動を伴うパターンであるので、以下、「パターンＢ３”リズム”」と称する。
【０１５５】
状態Ｓ７では、発光制御部８４は、枠内の上側の軸の波形に示されるように、LED３４を一定の周期でパルス的なリズムの高光量で発光させ、かつ、枠内の下側の軸に示されるように、振動制御部８５は振動機構３５をLED３４が発光するリズムと同じリズムで振動させる。状態Ｓ７における「パターンＢ３”リズム”」の詳細について、図１４を参照して説明する。
【０１５６】
図１４は、状態Ｓ７における「パターンＢ３”リズム”」の詳細を示す図である。
【０１５７】
図１４の上側の軸の波形は、「Lighting」と示されているように、LED３４の発光の状態を模式的に表している。図１４の下側の軸の波形は、「vibration」で示されているように、振動機構３５の振動の状態を模式的に表している。
【０１５８】
状態Ｓ７に遷移すると、発光制御部８４は、LED３４を開始時刻ｔ７１から終了時刻ｔｘまで一定の周期でパルス的なリズムで発光させる。なお、開始時刻ｔ７１から終了時刻ｔｘまでの期間は、例えば音楽の長さ等に対応する。
【０１５９】
具体的には、発光制御部８４は、開始時刻ｔ７１から時刻ｔ７２までは、LED３４を一定の低光量で発光させる。そして、発光制御部８４は、時刻ｔ７２から時刻ｔ７３までの発光継続時間Ｔ７１の間、LED３４の光量を一定の高光量で発光させる。そして、時刻ｔ７３から時刻ｔ７４までは、LED３４を一定の低光量で発光させる。次に、発光制御部８４は、時刻ｔ７２から発光間隔時間Ｔ７２だけ経過した時刻ｔ７４になると、当該時刻ｔ７４から時刻ｔ７５までの発光継続時間Ｔ７１の間、LED３４の光量を一定の高光量で発光させる。そして、時刻ｔ７５から時刻ｔ７６までは、LED３４を一定の低光量で発光させる。次に、発光制御部８４は、時刻ｔ７４から発光間隔時間Ｔ７２だけ経過した時刻ｔ７６になると、当該時刻ｔ７６から時刻ｔ７７までの発光継続時間Ｔ７１の間、LED３４の光量を一定の高光量で発光させる。このように、発光間隔時間Ｔ７２を周期として、発光継続時間Ｔ７１をパルス幅とするパルス的なリズムで、LED３４が発光する。なお、発光継続時間Ｔ７１は、特に限定されないが、本実施形態では０．２秒が採用されている。また、振動間隔時間Ｔ７２は、特に限定されないが、本実施形態では０．５秒とする。
【０１６０】
一方、状態Ｓ７に遷移すると、振動制御部８５は、振動機構３５を開始時刻ｔ７１から終了時刻ｔｘまで、LED３４の発光と同一の一定の周期でパルス的なリズムで振動させる。
【０１６１】
具体的には、振動制御部８５は、時刻ｔ７２から時刻ｔ７３の振動継続時間Ｔ７１の間、振動機構３５の振動を継続させる。次に、振動制御部８５は、時刻ｔ７２から振動間隔時間Ｔ７２だけ経過した時刻ｔ７４になると、当該時刻ｔ７４から時刻ｔ７５の振動継続時間Ｔ７１の間、振動機構３５の振動を継続させる。次に、振動制御部８５は、時刻ｔ７４から振動間隔時間Ｔ７２だけ経過した時刻ｔ７６になると、当該時刻ｔ７６から時刻ｔ７７の振動継続時間Ｔ７１の間、振動機構３５の振動を継続させる。このように、振動間隔時間Ｔ７２を周期として、LED３４の発光と同一の振動継続時間Ｔ７１をパルス幅とするパルス的なリズムで、振動機構３５が振動する。なお、振動継続時間Ｔ７１は、特に限定されないが、本実施形態では０．２秒が採用されている。また、振動間隔時間Ｔ７２は、特に限定されないが、本実施形態では０．５秒とする。
【０１６２】
状態Ｓ７において、停止信号が受信された場合、通信制御部８１は、停止信号の受信という状態遷移条件Ｃ５２が満たされたと判定し、リング１２の状態を、アイドリング状態Ｓ１に遷移させる。停止信号としては、本実施形態においては、サーバ１１から送信される動作の強制停止の信号、または信号Ｂ３に不備があった場合等のエラー信号が採用されている。アイドリング状態Ｓ１に遷移すると、リング１２は、発光及び振動を停止させる。
【０１６３】
信号Ｂ１，Ｂ２，Ｂ３の生成源は、上述の例ではサーバ１１が採用されたが、特にこれに限定されない。例えば、信号Ｂ１，Ｂ２，Ｂ３の生成源は、リング１２の３軸加速度センサ３３のセンサ情報であってもよい。即ち、当該センサ情報に基づいて生成された信号が、信号Ｂ１，Ｂ２，Ｂ３のうち少なくとも一種類として採用されてもよい。
【０１６４】
例えば、信号Ｂ１，Ｂ２，Ｂ３の生成源は、リング１２のユーザの動き、心拍、血圧、体温等を取得するセンサのセンサ情報（即ち、生体情報）であってもよい。即ち、当該センサ情報に基づいて生成された信号が、信号Ｂ１，Ｂ２，Ｂ３のうち少なくとも一種類として採用されてもよい。この場合、例えば、運動をしているリング１２のユーザの生体の変化に合わせてリング１２の状態が状態Ｓ５，Ｓ６，または状態Ｓ７に遷移する。したがって、ユーザは、自身の体調を直感的に認知することが可能となり、容易に体調管理をすることができる。
【０１６５】
また、例えば、信号Ｂ１，Ｂ２，Ｂ３の生成源は、リング１２の周囲の気温、湿度、音、映像等を取得するセンサのセンサ情報（即ち、環境情報）であってもよい。即ち、当該センサ情報に基づいて生成された信号が、信号Ｂ１，Ｂ２，Ｂ３のうち少なくとも一種類として採用されてもよい。この場合、例えば、リング１２の環境に合わせてリング１２の状態が状態Ｓ５，Ｓ６，または状態Ｓ７に遷移する。したがって、ユーザは、自身の周囲の環境を直感的に知ることが可能となり、環境に応じた各種行動を容易に取ることができる。
【０１６６】
当然のことながら、複数のセンサを組み合わせて、当該複数のセンサの各センサ情報に基づいて生成された信号が、信号Ｂ１，Ｂ２，Ｂ３のうち少なくとも一種類として採用されてもよい。
【０１６７】
なお、信号Ｂ１，Ｂ２，Ｂ３として、リング１２のセンサ情報に基づいて生成された信号が採用される場合、停止信号は、例えば、各種センサのセンサ情報が適切に取得できなかった場合等に、センサ情報取得部８２により生成されるエラー信号としてもよい。
【０１６８】
さらに、信号Ｂ１，Ｂ２，Ｂ３としては、例えば、所定の距離内の他のリング１２から送信される信号が採用されてもよい。
【０１６９】
例えば、所定の距離内の他のリング１２の３軸加速度センサ３３により取得されたセンサ情報に基づいて生成された信号であって、当該他のリング１２から送信されてきた信号が、信号Ｂ１，Ｂ２，Ｂ３のうち少なくとも一種類として採用されてもよい。この場合、例えば、リング１２と他のリング１２の動き情報が同一となった場合にのみ、リング１２の状態が状態Ｓ５，Ｓ６，または状態Ｓ７に遷移する。または、リング１２と他のリング１２の動き情報が類似するにつれて、リング１２の状態Ｓ５，Ｓ６，または状態Ｓ７における発光及び振動が強くなる。即ち、他のユーザと同じ動きをした場合にのみリング１２が発光及び振動したり、他のユーザとの動きがそろった場合に発光及び振動が強くなる。したがって、例えば、ユーザは、応援ダンスやランニングの並走において、他のユーザと同じ動きをするように心がけるので、ユーザ同士が一体感を得ることができる。
【０１７０】
［本技術の適用可能性]
以上、本技術が適用される情報処理装置として、リング１２について説明してきたが、本技術が適用される情報処理装置は、特にリング１２に限定されず、例えば次のような構成を有し、次のような処理を実行可能となるように、様々な実施の形態をとることができる。換言すると、次のような構成を有し、次のような処理を実行可能な情報処理装置の一例が、上述したリング１２である。
【０１７１】
すなわち、本技術が適用される情報処理装置は、発光部と、センサ部と、制御信号生成部と、発光制御部とを含むように構成される。発光部は、光量、発光色、発光間隔時間、及び発光継続時間といった複数種類の発光パラメータのうち１以上の種類の組み合わせで特定される発光のパターンにしたがって発光する。なお、上述のリング１２では、LED３４が発光部に相当する。センサ部は、所定の物理量の変化を検出する。なお、上述のリング１２では、３軸加速度センサ３３がセンサ部に相当する。なお、センサ部が検出する物理量は、特に３軸加速度に限定されず、検出可能な物理量であれば任意の種類でよいし、検出する種類の数も任意でよい。制御信号生成部は、センサ部の検出結果に基づいて制御信号を生成する。上述のリング１２では、CPU３１の制御信号生成部８３が制御信号生成部に相当する。発光制御部は、制御信号生成部により生成された制御信号に基づいて、予め設定された複数の発光のパターンの中から１つを選択し、選択した発光のパターンにしたがって発光部を発光させる制御を実行する。上述のリング１２では、CPU３１の発光制御部８４が発光制御部に相当する。
【０１７２】
[発光パターン制御処理]
次に、このような構成の情報処理装置が実行する処理のうち、発光部の発光のパターンを制御する処理（以下、発光パターン制御処理と称する）について説明する。
【０１７３】
図１５は、本技術が適用される情報処理装置が実行する発光パターン制御処理の流れを説明するフローチャートである。
【０１７４】
ステップＳ１において、センサ部は、所定の物理量の変化を検出する。
【０１７５】
ステップＳ２において、制御信号生成部は、センサ部の検出結果に基づいて制御信号を生成する。
【０１７６】
ステップＳ３において、発光制御部は、制御信号生成部により生成された制御信号に基づいて、予め設定された複数の発光のパターンの中から１つを選択し、選択した発光のパターンにしたがって発光部を発光させる。これにより、発光パターン制御処理は終了となる。
【０１７７】
なお、本技術が適用される情報処理装置として、本実施形態において説明した処理を実行可能なモバイル端末を採用することができる。この場合、ユーザがモバイル端末を手にとってコミュニケーションを図る形態が望ましい。
【０１７８】
[本技術のプログラムへの適用]
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１７９】
コンピュータ（図７のCPU３１）が実行するプログラムは、例えば、パッケージメディア等としての図示せぬリムーバブルメディアに記録して提供することができる。また、プログラムは、ローカルエリアネットワーク、インターネット、デジタル衛星放送といった、有線または無線の伝送媒体を介して提供することができる。当然、プログラムは、サーバ１１や他のリング１２からも提供することができる。
【０１８０】
コンピュータでは、プログラムは、リムーバブルメディアをサーバ１１のドライブに装着し、無線の伝送媒体を介して、ワイヤレスモジュール３２で受信し、記憶部８６にインストールすることができる。その他、プログラムは、記憶部８６に、あらかじめインストールしておくことができる。
【０１８１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１８２】
本技術の実施の形態は、上述した実施の形態に限定されるものではなく、本技術の要旨を逸脱しない範囲において種々の変更が可能である。
【０１８３】
例えば、本技術は、１つの機能をネットワークを介して複数の装置で分担、共同して処理するクラウドコンピューティングの構成をとることができる。
【０１８４】
また、上述の例では、情報処理装置（リング１２等）自体が、発光や振動といった効果表現を行っているが、効果表現の仕方は、特に上述の例に限定されない。すなわち、効果表現を行う対象は、上述の例のように、ユーザに身につけられた情報処理装置自体であってもよいし、当該情報処理装置の通信相手、例えばテレビジョン受像機、ビデオデッキ、ゲーム機器、照明、電動シェード等の電化製品、個人宅、店舗、ホール、スタジアム等の施設の設備であってもよい。また、効果表現の種類は、上述の例のように発光や振動でもよいし、それ以外のもの、例えば映像や音響でもよい。また、ソフトアクチュエータを備えた情報処理装置であれば、腕の締め付けの強度変化も、効果表現の一種として採用することもできる。さらに、この場合、任意の複数の種類を組み合わせてもよい。
【０１８５】
また、上述の図６の状態遷移図において、状態Ｓ１乃至Ｓ７は例示に過ぎず、別の状態をさらに設けてもよいし、状態Ｓ１乃至Ｓ７の少なくとも１つを省略してもよい。また、各状態遷移条件についても、図６は例示に過ぎず、各種各様の条件を採用することができる。
【０１８６】
例えば、状態Ｓ１から状態Ｓ２に遷移させる状態遷移条件Ｃ１としては、情報処理装置を身につけるときの振動が検出できれば、その検出結果に基づいて状態遷移条件を設定することができる。同様に、温度センサが搭載されている情報処理装置では、３６度等人間の体温と判断できる温度が検出されたことを、状態遷移条件として採用することができる。また、心拍や静脈が検出できる情報処理装置では、心拍や静脈の検出結果に基づいて個人認証を行い、その認証に成功したことを状態遷移条件として採用することができる。また、状態Ｓ２から状態Ｓ１に遷移する状態遷移条件Ｃ２としては、上述の検出結果とは逆、例えば、振動が止まったり、温度が下がったことが検出されたことを状態Ｓ２から状態Ｓ１に遷移する状態遷移条件として採用することができる。
【０１８７】
また、上述の状態遷移条件Ｃ１１として、近接距離が所定の範囲内であるという条件が採用されたが、状態遷移条件Ｃ１１は、特に上述の例に限定されない。例えば、サーバ１１または他の情報処理装置から所定の信号を受信するという条件を採用することができる。また、素早く振る等の動きを条件として採用することができる。
【０１８８】
また、状態Ｓ５，Ｓ６，Ｓ７の各々に遷移する状態遷移条件として、サーバ１１からの信号Ｂ１，Ｂ２，Ｂ３の各々が割り当てられていたが、特にこれらに限定されない。例えば、情報処理装置を１回タップする擬音を「トン」と表現するならば、「トントントン」と情報処理装置を３回タップすると、情報処理装置の状態が、状態Ｓ５に遷移されるとしてもよい。また、例えば、情報処理装置を２回振った後で、「トントン」とタップすると、情報処理装置の状態が、状態Ｓ６に遷移されるとしてもよい。また、例えば、「トントン」と２回タップした後に１秒あけて、さらに「トントン」と２回タップすると、情報処理装置の状態が、状態Ｓ７に遷移されるとしてもよい。
【０１８９】
他の状態に遷移する状態遷移条件として割り当てられる条件も、まったく同様に、図８の条件は例示であり、特にこれらに限定されない。例えば、状態Ｓ３から状態Ｓ４への状態遷移条件として、例えば、情報処理装置を、情報処理装置が装着されている手とは異なるもう一方の手で握るという条件を割り当ててもよい。
【０１９０】
さらに、一つの状態に遷移する状態遷移条件として割り当てられる条件の種類は、１種類に限定されず、複数種類でもよい。例えば、状態Ｓ５に遷移する状態遷移条件として、図８の信号Ｂ１と、上述の情報処理装置を３回タップするという異なる２種類の条件が割り当てられていてもよい。この場合、信号Ｂ１が入力されるか、又は、情報処理装置が３回タップされると、情報処理装置の状態が状態Ｓ５に遷移される。
【０１９１】
なお、状態遷移条件として情報処理装置のタップを割り当てる場合には、そのタップの回数や振動の回数は特に限定されないが、例えば、１回だけ「トン」といったあまりに単純な操作を状態遷移条件に割り当てると、むやみに状態が遷移してしまうおそれがあり、情報処理装置が誤動作を起こす可能性がある。そこで、ある程度非日常な操作を状態遷移条件に割り当てることが好適である。一方で、直感的な操作を目的としているため、あまりに複雑な操作を状態遷移条件に割り当てることは不適である。このように、状態遷移条件には相反する要求がなされるが、上述のタップを複数回組み合わせた操作はある程度この要求を満たすため、状態遷移条件に割り当てることは妥当である。
【０１９２】
また、上述の例では、アイドリング状態Ｓ１に強制的に戻る状態遷移条件としては、上述の例では、サーバ１１から送信される動作の強制停止の信号、または信号Ｂ３に不備があった場合等のエラー信号が採用されていたが、上述の例に特に限定されない。例えば、停止信号が一定時間以上受信または生成されない場合も状態遷移条件が満たされたとして、アイドリング状態Ｓ１に戻してもよい。
【０１９３】
また、上述のフローチャートで説明した各ステップは、１つの装置で実行する他、複数の装置で分担して実行することができる。
【０１９４】
さらに、１つのステップに複数の処理が含まれる場合には、その１つのステップに含まれる複数の処理は、１つの装置で実行する他、複数の装置で分担して実行することができる。
【０１９５】
なお、本技術は、以下のような構成もとることができる。
（１）
発光の特徴を示す発光パラメータの組み合わせで特定される発光のパターンにしたがって発光する発光部と、
ユーザの動作に起因して生ずる物理量の変化に基づいて、予め設定された複数の発光のパターンの中から発光パターンを選択し、選択した発光のパターンにしたがって前記発光部を発光させるように制御する発光制御部と
を備える情報処理装置。
（２）
他の情報処理装置との間の無線通信を制御する通信制御部をさらに備え、
前記発光制御部は、
前記物理量の変化と前記通信制御部が受信した信号とに基づいて、予め設定された複数の発光のパターンの中から発光パターンを選択するように制御する
前記（１）に記載の情報処理装置。
（３）
振動の特徴を示す振動パラメータの組み合わせで特定される振動のパターンにしたがって振動する振動部と、
前記物理量の変化に基づいて、予め設定された複数の振動のパターンの中から発光パターンを選択し、選択した振動のパターンにしたがって前記振動部を振動させるように制御する振動制御部と
をさらに備える
前記（１）または（２）に記載の情報処理装置。
（４）
ユーザの動作に起因して生ずる物理量の変化を検出するセンサ部をさらに備え、
前記発光制御部は前記センサ部により検出された物理量の変化に基づいて、前記ユーザが他者とコミュニケーションを図る際に行った動作の種類を推定し、推定した当該動作の種類に応じて発光パターンを選択する
前記（１）乃至（３）のいずれかに記載の情報処理装置。
（５）
前記センサ部は、前記ユーザの動作に起因して生ずる加速度の変化を検出する加速度センサを含み、
前記発光制御部は、前記加速度センサにより検出された加速度の変化に基づいて、前記ユーザが他者とコミュニケーションを図る際に行った動作の種類を推定し、当該動作の種類に応じて発光パターンを選択する
前記（１）乃至（４）のいずれかに記載の情報処理装置。
（６）
前記発光制御部は、前記加速度センサが所定の閾値以上の加速度を検出した場合、前記ユーザが他者とコミュニケーションを図る際に行った動作の種類を、前記情報処理装置を衝突させる動作の第１の種類、又は、前記情報処理装置を継続的に振動させる動作の第２の種類と推定し、推定した当該第１の種類又は当該第２の種類に応じて発光パターンを選択する
前記（１）乃至（５）のいずれかに記載の情報処理装置。
（７）
前記発光制御部は、
第１の発光色で前記発光部を発光させている状態で、前記第１の種類を推定した場合には、第１の時間をかけて前記第１の発光色から前記他の情報処理装置の第２の発光色に切り替えて、前記第１の発光色に戻すことを規定する第１の発光のパターンを選択する
前記（１）乃至（６）のいずれかに記載の情報処理装置。
（８）
前記発光制御部は、
前記第１の発光色で前記発光部を発光させている状態で、前記第２の種類を推定した場合には、前記第１の時間よりも長い第２の時間をかけて前記第１の発光色から前記第２の発光色に切り替えて、前記第１の発光色に戻すことを規定する第２の発光のパターンを選択する
前記（１）乃至（７）のいずれかに記載の情報処理装置。
（９）
前記通信制御部は、前記加速度センサが前記所定の閾値以上の加速度を検出した場合、所定の距離内の他の情報処理装置と前記情報処理装置との間で情報交換を行う際に用いる無線通信を制御する
前記（１）乃至（８）のいずれかに記載の情報処理装置。
（１０）
前記情報処理装置は、前記ユーザの腕に取り付けられるリング形状の部位を有し、
前記部位は、その一部を開放または接続する連結部が設けられている
前記（１）乃至（９）のいずれかに記載の情報処理装置。
（１１）
前記連結部は、前記部位の一部を接続するための磁石及び着磁板金を有している
前記（１）乃至（１０）のいずれかに記載の情報処理装置。
（１２）
前記連結部は、素材の弾性変形により前記部位の一部を接続する
前記（１）乃至（１１）のいずれかに記載の情報処理装置。
【０１９６】
本技術は、コミュニケーションツールとして用いられる情報処理装置に適用することができる。
【符号の説明】
【０１９７】
１  情報処理システム，  １１  サーバ，  １２  リング，  ２１  基板，  ２２  連結部，  ３１  CPU，  ３２  ワイヤレスモジュール，  ３３  ３軸加速度センサ，  ３４  LED，  ３５  振動機構，  ８１  通信制御部，  ８２  センサ情報取得部，  ８３  制御信号生成部，  ８４  発光制御部，  ８５  振動制御部，  ８６  記憶部
【図１】
0005854054.tif 000002
【図２】
0005854054.tif 000003
【図３】
0005854054.tif 000004
【図４】
0005854054.tif 000005
【図５】
0005854054.tif 000006
【図６】
0005854054.tif 000007
【図７】
0005854054.tif 000008
【図８】
0005854054.tif 000009
【図９】
0005854054.tif 000010
【図１０】
0005854054.tif 000011
【図１１】
0005854054.tif 000012
【図１２】
0005854054.tif 000013
【図１３】
0005854054.tif 000014
【図１４】
0005854054.tif 000015
【図１５】
0005854054.tif 000016